(57)【要約】      （修正有）【課題】フン受け取り袋の取り付けと取り外しが容易に行うことが出来る、袋掛け案内板付き犬のフン受け取り器を提供する。【解決手段】受け枠部２０と袋止め筒部３０とを備える。受け枠部２０は、円筒状の柄１に板バネ受け枠３を取り付けてなる。袋止め筒部３０は、袋止め筒１０と、袋掛け案内板８と、袋掛けズレ止めを有する。受け枠部２０の柄１を袋止め筒１０に差し込み、フン受け取り袋４０を取り付ける。【選択図】図１
0003176872.tif 000002
【実用新案登録請求の範囲】
【請求項１】
円筒状の柄と、円形で両端部が上記柄の一端部に設けられた差し込み穴に挿入される板バネ受け枠とで構成される受け枠部と、上記柄に取り付けられ、袋止め筒と切り込み口と切れ穴と先端部に曲げ部を有する袋掛け案内板が形成された袋止め筒部と、上記袋止め筒部の袋掛け案内板と受け枠部の板バネ受け枠に装着されるフン受け取り袋とを備えたことを特徴とする袋掛け案内板付き犬のフン取り器。
【考案の詳細な説明】
【技術分野】
【０００１】  この考案は、犬が散歩中に路上や公園、広場等でフンをした場合に、そのフンを受け取る、犬のフン受け取り器に関するものである。
【背景技術】
【０００２】  飼い犬が散歩中にするフンを、地上に落下する前に、又は、地面がフンで汚れる前に、犬のフンを直接フン受け取り器でキャッチして、フンを袋の中に取り込んで犬のフンを処理する必要がある、従来の犬のフン受け取り器としては、市販品として、次の様な各種の方式がある。
１．フン受け取り器の受け枠をフン受け取り袋の中に入れてから、袋の端を手で押え持って、他の手で受け枠の上からフン受け取り袋を押え込で、受け袋を作り、枠の内から、枠の外側に袋の端を折り返し、反転した外側のフン受け取り袋の端を、輪ゴムで枠の溝に押え込んでフン受け取り袋を止めて取り付けをする、輪ゴムによる輪ゴム押え方式。
２．フン受け取り器の受け枠をフン受け取り袋の中に入れてから、フン受け取り袋の端を、フン受け取り器の柄にまたがせて、そのフン受け取り袋の２つ端をそろえ合せて、クリップで挟み止めて、受け枠の上からフン受け取り袋を手で押え込んで、受け袋を作り、受け枠にフン受け取り袋の取り付けをする、クリップによるクリップ挟み方式。従来は、以上の様な方式で受け枠にフン受け取り袋の取り付けをしていたが、取り付けと取り外しの手間がかかり面倒であった。
３．受け枠にゴムスリットを取り付けて、フン受け取り袋の端をゴムスリットの切れ目に押し込み挟んで袋の端を止めて、フン受け取り袋を取り付けをする場合のゴムスリット方式は、受け枠が大きくなり、フン受け取り器が大型となるので、持ち歩きと収納が面倒であった、そして、フン受け取り袋の取り付けと取り外しも面倒である。
【考案の概要】
【考案が解決しようとする課題】
【０００３】  従来の犬のフン受け取り器は、次のような欠点があった。受け枠に取り付ける、フン受け取り袋の取り付けと取り外しは、輪ゴムやクリップを使用して、フン受け取り袋の端を押えたり、挟んだりして止めて、受け枠にフン受け取り袋を取り付けていた、そして、輪ゴムやクリップを外してから、犬のフンを取り込んだフン受け取り袋を取り外して、犬のフンの処理をしていたので、フン受け取り袋の取り付けと取り外しは手間がかかり面倒であると言う問題点があった。【０００４】  この考案は、犬のフンの処理を行うフン受け取り器において、フン受け取り袋の取り付けと取り外しが容易に行うことが出来る、袋掛け案内板付き犬のフン受け取り器を得ることを目的とする。
【課題を解決するための手段】
【０００５】  この考案の袋掛け案内板付き犬のフン受け取り器は、円筒状の柄と、円形で両端部が上記柄の一端部に設けられた差し込み穴に挿入される板バネ受け枠とで構成される受け枠部と、上記柄に取り付けられ、袋止め筒と切り込み口と切れ穴と先端部に曲げ部を有する袋掛け案内板が形成された袋止め筒部と、上記袋止め筒部の袋掛け案内板と板バネ受け枠に装着されるフン受け取り袋とを備えたものである。
【考案の効果】
【０００６】  この考案の、袋掛け案内板付き犬のフン受け取り器は、円筒状の柄と、円形の板バネ受け枠の両端部を、上記柄の一端部に設けられた差し込み穴に挿入して、両端部を輪にした板バネ受け枠とで構成される受け枠部と、上記柄に取り付けられ、袋掛けズレ止めと袋止め筒と切り込み口と切れ穴と先端部に曲げ部を有する袋掛け案内板が形成された袋止め筒部と、上記袋止め筒部の袋掛け案内板と受け枠部の板バネ受け枠に装着されるフン受け取り袋とを備えたので、フン受け取り袋の端を袋掛け案内板の先端部の曲げ部から挿入し、切り込み口と切れ穴にはめ込むように構成したので、フン受け取り袋の端の挿入およびはめ込みが簡単になり、フン受け取り袋の取り付けと取り外しが極めて容易になる。
【図面の簡単な説明】
【０００７】
【図１】この考案の一実施の形態である、袋掛け案内板付き犬のフン受け取り器を示す斜視図である。
【図２】図１に示す袋掛け案内板付き犬のフン受け取り器のフン受け取り袋を省略した斜視図である。
【考案を実施するための形態】
【０００８】  図１は、この考案の一実施の形態である袋掛け案内板付き犬のフン受け取り器を示す斜視図てある。図２は、図１に示す袋掛け案内板付き犬のフン取り器のフン受け取り袋を省略した斜視図である。図において、１００はこの考案の袋掛け案内板付き犬のフン取り器であり、受け枠部２０と、袋止め筒部３０と、フン受け取り袋４０とで構成されている。受け枠部２０は円筒状の柄１にある差し込穴２に板バネ受け枠３の両端を差し込み通す、そして、上記板バネ受け枠３の両端に受け枠抜け止めＡ４と受け枠抜け止めＢ５の様な円形の輪を作る。
【０００９】  ３０は袋止め筒部である。この袋止め筒部３０は、切り込み口６と切れ穴７が形成され、末端部に曲げ部８ａを有する袋掛け案内板８と袋掛けズレ止め９と袋止め筒１０をそれぞれ設け、一体化して構成されている。
【００１０】  受け枠部２０の柄１を袋止め筒部３０の袋止め筒１０に差し込み、板バネ受け枠３にフン受け取り袋４０を取り付けることにより、袋掛け案内付き犬のフン受け取り器１００が構成される。
【００１１】  本考案の袋掛け案内板付き犬のフン受け取り器１００は、袋止め筒部３０を受け枠部２０の柄１に取り付けた事で、フン受け取り袋４０の端を、袋止め筒部３０の袋掛け案内板８の曲げ部８ａを介して切り込み口６と切れ穴７に直接はめ込むことが出来、素早く簡単にフン受け取り袋４０を取り付けることが出来る様にしたので、フン受け取り袋４０を板バネ受け枠３に取り付けやすくなる。そして、従来の様にフン受け取り袋４０の取り付けと取り外しの時に使用していた、輪ゴムやクリップを使用しなくても、取り付けと取り外しが容易に出来る様になる。
【００１２】  本考案の受け枠抜け止めＡ４か受け枠抜け止めＢ５を手でつまんで、引っぱたり、元に戻したりし、板バネ受け枠３をスライドして、板バネ受け枠３の円の直経を小さくしたり、大きくしたりして、枠の円を調節する事が出来る様にしたので、一つのフン受け取り器でフン受け取り袋４０のサイズに板バネ受け枠３を合わせて、フン受け取り袋４０の取り付けの使い分けが出来る。
【００１３】  また、板バネ受け枠３のスライド調節で枠の円を小さくして、フン受け取り器の全長を短くして、小形に出来るので、フン受け取り器の持ち運びと収納がやりやすくなった。
【００１４】  また、柄１に取り付けた、袋止め筒部３０を矢印Ａ方向へスライド（手前に引っぱたり、押し戻したり）させ位置を変えて取り付けが出来るので、スライドさせて、袋の端を掛け止める切り込み口６と切れ穴７のある袋掛け案内板８の位置を変えて、フン受け取り袋４０のサイズに合わせて、フン受け取り袋４０の取り付けの使い分け使用が出来る。
【００１５】  上記の様に構成された、袋掛け案内板付き犬のフン受け取り器１００の使用方法を設明する。
これを使用する時は、板バネ受け枠３をフン受け取り袋４０の中に入れて、板バネ受け枠３を覆ったフン受け取り袋４０の２ヶ所の端を引っぱて、袋掛けズレ止め９と袋止め筒１０と柄１をまたぎ、袋止め筒部３０の切り込み口６と切れ穴７にフン受け取り袋４０の端をハメ込み止めてから、フン受け取り袋４０を取り付けて、板バネ受け枠３の上面から手で押し込んで、受け袋を作る。
【００１６】  先ず、柄１を持って、フン受け取り袋４０を取り付けた板バネ受け枠３を犬の尻に持って行き、犬がするフンを直接にキャッチして、犬のフンが地面に落ちる前にフン受け取り袋４０の中に取り込む。
次に、フン受け取り袋４０を板バネ受け枠３から取り外してから、フンの取り除き処理をする。
【符号の説明】
【００１７】  １  柄、  ２  差し込み穴、  ３  板バネ受け枠、  ４  受け枠抜け止めＡ、  ５  受け枠抜け止めＢ、  ６  切り込み口、  ７  切れ穴、  ８  袋掛け案内板、  ８ａ  曲げ部、  ９  袋掛けズレ止め、  １０  袋止め筒、  ２０  受け枠部、  ３０  袋止め筒部、  ４０  フン受け取り袋、  １００  袋掛け案内板付き犬のフン受け取り器、  Ａ  矢印
【図１】
0003176872.tif 000003
【図２】
0003176872.tif 000004
【手続補正書】
【提出日】平成24年1月11日(2012.1.11)
【手続補正１】
【補正対象書類名】実用新案登録請求の範囲
【補正対象項目名】全文
【補正方法】変更
【補正の内容】
【実用新案登録請求の範囲】
【請求項１】
１．円筒状の柄にある差し込み穴に板バネ受け枠の両端を差し込み通した板バネ受け枠の端の２方に、受け枠抜け止めＡと受け枠抜け止めＢを作り組立て、柄に板バネ受け枠を取り付けた受け枠部。
２．柄を差し込み柄に取り付ける袋止め筒に、フン受け取り袋の端を挿入して止める切り込み口と切れ穴のある袋掛け案内板の先端部に、フン受け取り袋の挿入を案内する曲げ部を形成した袋掛け案内板と袋掛けズレ止めを設け一体化した袋止め筒部。
３．受け枠部の柄を袋止め筒部の袋止め筒に差し込んで、柄に袋止め筒部を取り付けた、犬のフン取り器の受け枠部と袋止め筒部にフン受け取り袋を取り付けたことを特徴とする袋掛け案内板付き犬のフン受け取り器。
【手続補正書】
【提出日】平成24年4月23日(2012.4.23)
【手続補正１】
【補正対象書類名】実用新案登録請求の範囲
【補正対象項目名】全文
【補正方法】変更
【補正の内容】
【実用新案登録請求の範囲】
【請求項１】
円筒状の柄にある差し込み穴に板バネ受け枠の両端を差し込み通した板バネ受け枠の端の２方に、受け枠抜け止めＡと受け枠抜け止めＢを作り組立て、柄に板バネ受け枠を取り付けた受け枠部と、柄を差し込み柄に取り付ける袋止め筒に、フン受け取り袋の端を挿入して止める切り込み口と切れ穴のある袋掛け案内板の先端部に、フン受け取り袋の挿入を案内する曲げ部を形成した袋掛け案内板とフン受け取り袋の取り付け時に、袋の端方を袋掛けズレ止めと袋止め筒と柄を掛けまたがせた袋の端の位置が袋掛け案内板より柄の手持ちにぎり側にズレ込まない様に止めて、またがせて袋の２つ端を袋掛け案内板にハメ込み掛け止めた、袋の端がハズレにくい様にした袋掛けズレ止めを設け一体化した袋止め筒部とを備え、受け枠部の柄を袋止め筒部の袋止め筒に差し込んで、柄に袋止め筒部を取り付けた、犬のフン取り器の受け枠部と袋止め筒部にフン受け取り袋を取り付けたことを特徴とする袋掛け案内板付き犬のフン受け取り器。
【手続補正２】
【補正対象書類名】明細書
【補正対象項目名】０００７
【補正方法】変更
【補正の内容】
【０００７】
【図１】この考案の一実施の形態である、袋掛け案内板付き犬のフン受け取り器を示す斜視図である。
【図２】図１に示す袋掛け案内板付き犬のフン受け取り器のフン受け取り袋を省略した斜視図である。
【図３】図１、図２に示す袋止め筒部の斜視図である。
【手続補正３】
【補正対象書類名】図面
【補正対象項目名】全図
【補正方法】変更
【補正の内容】
【図１】
0003176872.tif 000005
【図２】
0003176872.tif 000006
【図３】
0003176872.tif 000007